(57)【要約】【課題】  何らかの原因でディスクがディスクトレイから位置ずれして浮き上がっても、そのディスクが横桁部の後方へ入り込んでしまって取り出せなくなるという事態を防ぐと共に、位置ずれしたディスクは、ディスクトレイがクローズ位置からオープン位置に移動することによって確実に排出されるようにする。【解決手段】  クローズ位置に移動したディスクトレイ１の上方に位置するように設けられている横桁部４に下向き突部４１を設けるのに対し、ディスクトレイ１に上向き係止突起１２を追加する。さらに、下向き突部４１に、ディスクトレイ１から浮き上がったディスクＤの外周端部を摺動させて下向き突部４１の下端から突出させることによりディスクＤの外周端部を上向き係止突起１２に対峙させる後下がりに傾斜したディスク押下げ案内面４２を付設する。【選択図】        図４
2006196103.tif 000002
【特許請求の範囲】
【請求項１】
ディスクの載架されたディスクトレイがクローズ位置とオープン位置との間で移動可能に組み付けられた構体に、クローズ位置に移動した上記ディスクトレイの上方に位置するように横桁部が備わり、その横桁部に、上記ディスクトレイから浮き上がったディスクの外周端部を係止してそのディスクが当該横桁部の後方へ入り込むことを阻止する下向き突部が備わっているディスク装置において、
クローズ位置のディスクトレイに載架されている上記ディスクを受け取ってそのディスクトレイから持ち上げるターンテーブルと、このターンテーブルによって持ち上げられたディスクをそのターンテーブルに押し付けるクランパとを備え、かつ、そのクランパが上記横桁部に保持されており、
上記ディスクトレイに、このディスクトレイがクローズ位置からオープン位置まで移動するときに、当該ディスクトレイのディスク載置領域から位置ずれしたディスクの外周端部に係止してそのディスクを排出するための上向き係止突起が備わり、上記下向き突部に、上記ディスクトレイから浮き上がったディスクの外周端部を摺動させてその下向き突部の下端から突出させることによりそのディスクの外周端部を上記上向き係止突起に対峙させる後下がりに傾斜したディスク押下げ案内面が付設され、
ディスクトレイがクローズ位置とオープン位置との間で移動するときに、上記上向き係止突起が上記下向き突部と干渉せずにその下向き突部の下方を通過するようになっていると共に、上記下向き突部が、上記ディスク押下げ案内面の後端位置よりも下方に突出していてその突出部分の突出幅寸法が上記ディスクの外周端部の厚さ寸法よりも短く、かつ、その突出部分と上記上向き係止突起との垂直間隔寸法が、その突出部分が係止したディスクの外周端部の突出部分からの出幅寸法よりも短くなっていることを特徴とするディスク装置。
【請求項２】
ディスクの載架されたディスクトレイがクローズ位置とオープン位置との間で移動可能に組み付けられた構体に、クローズ位置に移動した上記ディスクトレイの上方に位置するように横桁部が備わり、その横桁部に、上記ディスクトレイから浮き上がったディスクの外周端部を係止してそのディスクが当該横桁部の後方へ入り込むことを阻止する下向き突部が備わっているディスク装置において、
上記ディスクトレイに、このディスクトレイがクローズ位置からオープン位置まで移動するときに、当該ディスクトレイのディスク載置領域から位置ずれしたディスクの外周端部に係止してそのディスクを排出するための上向き係止突起が備わっていると共に、上記下向き突部に、上記ディスクトレイから浮き上がったディスクの外周端部を摺動させてその下向き突部の下端から突出させることによりそのディスクの外周端部を上記上向き係止突起に対峙させる後下がりに傾斜したディスク押下げ案内面が付設されていることを特徴とするディスク装置。
【請求項３】
ディスクトレイがクローズ位置とオープン位置との間で移動するときに、上記上向き係止突起が上記下向き突部と干渉せずにその下向き突部の下方を通過するようになっている請求項２に記載したディスク装置。
【請求項４】
上記下向き突部が、上記ディスク押下げ案内面の後端位置よりも下方に突出していてその突出部分の突出幅寸法が上記ディスクの外周端部の厚さ寸法よりも短く、かつ、その突出部分と上記上向き係止突起との垂直間隔寸法が、その突出部分が係止したディスクの外周端部の突出部分からの出幅寸法よりも短くなっている請求項３に記載したディスク装置。
【発明の詳細な説明】
【技術分野】
【０００１】
本発明は、ディスク装置、特に、ディスクトレイがクローズされているときに、何らかの原因でそのディスクトレイに載架されているディスクが所定のディスク載置領域の外側に位置ずれした場合でも、クローズ位置からオープン位置に移動させられたディスクトレイによってディスクが排出されるようにするための対策を講じたディスク装置に関する。
【背景技術】
【０００２】
図５にディスク装置の従来例を説明的に示してある。同図には、クローズ位置のディスクトレイ１と、ターンテーブル２と、クランパ３を保持している横桁部４とが示されている。このディスク装置において、ディスクトレイ１は、図示のクローズ位置から矢印Ｆ方向に移動して図示していないオープン位置に達し、また、オープン位置から反矢印Ｆ方向に移動して図示のクローズ位置に達する。そして、オープン位置ではディスクトレイ１に凹入状に形成されたディスク載置領域Ｚ１にディスクＤが載架される。なお、図例のディスクトレイ１には、大サイズのディスクＤに対応する上記ディスク載置領域Ｚ１と、そのディスク載置領域Ｚ１と同心位置に形成されて小サイズのディスク（不図示）に対応するディスク載置領域Ｚ２が形成されていて、これら２つのディスク載置領域Ｚ１，Ｚ２がディスクのサイズに応じて使い分けられる。また、オープン位置からクローズ位置まで移動したディスクトレイ１に載架されているディスクＤの下方に、上記ターンテーブル２が待機していて、そのターンテーブル２が上動すると、ディスクトレイ１のディスク載置領域Ｚ１（又はディスク載置領域Ｚ２）に載架されているディスクＤをターンテーブル２が受け取ってディスクトレイ１から持ち上げる。こうしてターンテーブル２がディスクＤを持ち上げると、その上方で待機している上記クランパ３に備わっている吸着機能が働いてそのクランパ３がディスクＤの上面に重なり合うと共に、ディスクＤをターンテーブル２に押し付ける。この一連の動作を通じてディスクＤがターンテーブル２とクランパ３とによりチャッキングされる。この後、記録又は再生モードが選択されると、ターンテーブル２がディスクＤと共に回転し、図示していない光ピックアップによるディスクＤの記録面への書込み又は読取りが行われる。
【０００３】
このディスク装置において、ディスクトレイ１は、図示していない構体にクローズ位置とオープン位置との間で移動可能に組み付けられていて、その構体には、上記横桁部４が樹脂で一体成形されている。
【０００４】
ところで、図５に示したように横桁部４の後端には下向き突部４１が形成されている。この下向き突部４１は、ディスクトレイ１のディスク載置領域Ｚ１（又はディスク載置領域Ｚ２）に載架されているディスクＤが何らかの原因でその領域Ｚ１（又はＺ２）から後方へ位置ずれして浮き上がった場合に、そのディスクＤの外周端部を仮想線で示したように係止してそのディスクＤが横桁部４の後方へ入り込んでしまうことを防ぐ作用を発揮する。
【０００５】
これに対し、先行例には、ディスクトレイのディスク載置部から離脱したディスクをディスクトレイ上にとどめてディスクトレイの後方へ入り込まないようにする技術が記載されている（特許文献１参照）。この特許文献１に記載されているものは、ディスク装置の上面を覆うアウターカバーの内側に、ディスクトレイの上面に近接して対向するディスクストッパを設けておき、ディスクトレイのディスク載置部から離脱したディスクをそのディスクストッパに係止させてディスクトレイの後方へ入り込まないようにするというものである。
【０００６】
また、他の先行例には、所謂スロットインタイプの記録媒体再生装置において、先行して搬入されているディスクがある場合に、誤って別のディスクが重複して搬入されることを防ぐ対策を講じたものであって、この記録媒体再生装置では、ディスクの搬入にディスクトレイが用いられない（特許文献２参照）。
【特許文献１】特開２００１−２２２８４７号公報
【特許文献２】特開２００４−１４５９１２号公報
【発明の開示】
【発明が解決しようとする課題】
【０００７】
図５を参照して説明したディスク装置において、ディスクトレイ１から位置ずれして浮き上がったディスクＤの外周端部が仮想線で示したように下向き突部４１によって係止されているときに、ディスク排出モードが選択されてディスクトレイ１が図示のクローズ位置から矢印Ｆのようにオープン位置に移動した場合、ディスクＤがディスクトレイ１によって排出されるとは限らず、ディスクＤの傾きによってはディスクトレイ１だけがオープン位置まで移動してディスクＤが構体内に取り残されてしまうという事態の起こるおそれがある。
【０００８】
そこで、図６又は図７に示したように、ディスクトレイ１に上向き係止突起１２を追加し、ディスクトレイ１がクローズ位置からオープン位置まで移動するときに、その上向き係止突起１２が、当該ディスクトレイ１のディスク載置領域Ｚ１（又はディスク載置領域Ｚ２）から位置ずれして浮き上がったディスクＤの外周端部に係止してそのディスクＤをディスクトレイ１によって排出させようとするすることを試みた。
【０００９】
しかしながら、ディスクトレイ１に上向き係止突起１２を追加することによってディスクＤが構体内に取り残されてしまうという事態を幾分かは改善できたけれども、そうした場合には次のような問題点が知見された。
【００１０】
すなわち、図７のように、ディスクトレイ１から位置ずれして浮き上がることによりそのディスクＤの外周端部が横桁部４の下向き突部４１に係止されているときに、ディスク排出モードが選択されてディスクトレイ１が図示のクローズ位置からオープン位置に移動するときに、ディスクＤの傾きによっては、上向き係止突起１２がディスクＤの外周端部を係止することなく仮想線で示したようにそのディスクＤの下側を矢印Ｆ１のようにすり抜けてしまってディスクＤが排出されないという事態が生じたり、場合によっては、その下向き係止突起１２がディスクＤの下側に噛み込んでディスクＤが排出されなくなるばかりか、ディスクトレイ１の円滑な移動が損なわれたりするという事態の起こるおそれるあることが判った。
【００１１】
この点に関し、特許文献１に記載されているものは、ディスク装置の上面を覆うアウターカバーの内側に設けたディスクストッパによってディスクの位置ずれを規制する技術を開示しているだけであり、そのディスクをディスクトレイと共に確実に排出するための対策については開示されていない。したがって、特許文献１によって開示された技術を適用しても、図７を参照して説明した上記事態の起こることを防ぐことができない。
【００１２】
本発明は以上の問題や状況に鑑みてなされたものであり、何らかの原因でディスクトレイから位置ずれして浮き上がったディスクの外周端部がディスクトレイの下向き突部によって係止されているときに、ディスクトレイがクローズ位置からオープン位置に移動すると、そのディスクトレイによってディスクが確実に排出されるようになるディスク装置を提供することを目的とする。
【課題を解決するための手段】
【００１３】
本発明に係るディスク装置は、ディスクの載架されたディスクトレイがクローズ位置とオープン位置との間で移動可能に組み付けられた構体に、クローズ位置に移動した上記ディスクトレイの上方に位置するように横桁部が備わり、その横桁部に、上記ディスクトレイから浮き上がったディスクの外周端部を係止してそのディスクが当該横桁部の後方へ入り込むことを阻止する下向き突部が備わっている。そして、上記ディスクトレイに、このディスクトレイがクローズ位置からオープン位置まで移動するときに、当該ディスクトレイのディスク載置領域から位置ずれしたディスクの外周端部に係止してそのディスクを排出するための上向き係止突起が備わっていると共に、上記下向き突部に、上記ディスクトレイから浮き上がったディスクの外周端部を摺動させてその下向き突部の下端から突出させることによりそのディスクの外周端部を上記上向き係止突起に対峙させる後下がりに傾斜したディスク押下げ案内面が付設されている。
【００１４】
この構成であれば、ディスクトレイから浮き上がったディスクの外周端部が横桁部の下向き突部に係止されて当該横桁部の後方へ入り込むことが阻止される。そして、ディスクの外周端部は、上記下向き突部に付設されたディスク押下げ案内面と摺動してディスクトレイ側の上向き係止突起に対峙する。そのため、ディスクトレイがクローズ位置からオープン位置に移動すると、上向き係止突起がディスクの外周端面に係止してそのディスクがディスクトレイによって排出される。
【００１５】
本発明では、ディスクトレイがクローズ位置とオープン位置との間で移動するときに、上記上向き係止突起が上記下向き突部と干渉せずにその下向き突部の下方を通過するようになっていることが望ましく、これによれば、上向き係止突起が上記下向き突部に干渉してディスクトレイの移動の円滑性が損なわれるという事態が起こらない。
【００１６】
本発明では、上記下向き突部が、上記ディスク押下げ案内面の後端位置よりも下方に突出していてその突出部分の突出幅寸法が上記ディスクの外周端部の厚さ寸法よりも短く、かつ、その突出部分と上記上向き係止突起との垂直間隔寸法が、その突出部分が係止したディスクの外周端部の突出部分からの出幅寸法よりも短くなっていることが望ましい。これによれば、上向き係止突起が、ディスクの下側をすり抜けたりディスクの下側に噛み込むという事態の起こることが確実に防止される。
【００１７】
本発明は、ディスクの載架されたディスクトレイがクローズ位置とオープン位置との間で移動可能に組み付けられた構体に、クローズ位置に移動した上記ディスクトレイの上方に位置するように横桁部が備わり、その横桁部に、上記ディスクトレイから浮き上がったディスクの外周端部を係止してそのディスクが当該横桁部の後方へ入り込むことを阻止する下向き突部が備わっているディスク装置において、クローズ位置のディスクトレイに載架されている上記ディスクを受け取ってそのディスクトレイから持ち上げるターンテーブルと、このターンテーブルによって持ち上げられたディスクをそのターンテーブルに押し付けるクランパとを備え、かつ、そのクランパが上記横桁部に保持されており、上記ディスクトレイに、このディスクトレイがクローズ位置からオープン位置まで移動するときに、当該ディスクトレイのディスク載置領域から位置ずれしたディスクの外周端部に係止してそのディスクを排出するための上向き係止突起が備わり、上記下向き突部に、上記ディスクトレイから浮き上がったディスクの外周端部を摺動させてその下向き突部の下端から突出させることによりそのディスクの外周端部を上記上向き係止突起に対峙させる後下がりに傾斜したディスク押下げ案内面が付設され、ディスクトレイがクローズ位置とオープン位置との間で移動するときに、上記上向き係止突起が上記下向き突部と干渉せずにその下向き突部の下方を通過するようになっていると共に、上記下向き突部が、上記ディスク押下げ案内面の後端位置よりも下方に突出していてその突出部分の突出幅寸法が上記ディスクの外周端部の厚さ寸法よりも短く、かつ、その突出部分と上記上向き係止突起との垂直間隔寸法が、その突出部分が係止したディスクの外周端部の突出部分からの出幅寸法よりも短くなっている、という構成を採用することによっていっそう具体化される。この発明の作用などについては後述する実施形態を参照して詳細に説明する。
【発明の効果】
【００１８】
以上のように、本発明によれば、何らかの原因でディスクがディスクトレイから位置ずれして浮き上がっても、そのディスクが横桁部の後方へ入り込んでしまって取り出せなくなるという事態が未然に防止されることは勿論、ディスクの外周端部がディスクトレイの下向き突部によって係止されているときに、ディスクトレイがクローズ位置からオープン位置に移動すると、そのディスクトレイによってディスクが確実に排出される。その結果、ディスク装置をユーザが使用しているときに、ディスクを排出できなくなって当該装置を分解しなければならないという事態の起こる余地がなくなり、併せて、ディスクトレイをクローズ位置からオープン位置に移動させることによってディスクが確実に排出されるようになって、安定したディスク排出性能が発揮されるようになってユーザにとっての使い勝手が向上する。また、横桁部の下向き突部に後下がりに傾斜したディスク押下げ案内面を付設するだけで済むので部品点数の増加によるコスト高をきたすこともなく、ディスク排出性能の安定したディスク装置を安価に提供することが可能になる。
【発明を実施するための最良の形態】
【００１９】
図１はディスク装置を概略的に示した外観図、図２はディスクトレイ１の平面図、図３は第１実施形態の要部の一部破断側面図、図４は図３のＩＶ部拡大図である。
【００２０】
図１のように、このディスク装置は、樹脂成形体でなる構体１００にディスクトレイ１が組み付けられていて、そのディスクトレイ１が構体１００内のクローズ位置と構体１００の外側のオープン位置との間で移動可能になっている。また、構体１００には、横桁部４が樹脂で一体成形されていて、その横桁部４が、クローズ位置に移動したディスクトレイ１の上方に位置するようになっていると共に、その横桁部４には、図５を参照して説明したクランパ３が保持されているのに対し、そのクランパ３と共働してディスクをチャッキングするターンテーブル２（図５参照）が構体１００内に配備されている。また、図３又は図４のように、横桁部４には下向き突部４１が一体成形されていて、その下向き突部４１が、クローズ位置のディスクトレイ１のディスク載置領域Ｚ１（又はディスク載置領域Ｚ２）から位置ずれして浮き上がったディスクＤの外周端部を係止してそのディスクＤが当該横桁部４の後方へ入り込むことを阻止し得るようになっている。以上説明した構成は、図５を参照して説明した従来のディスク装置の構成と同様である。
【００２１】
また、図２のように、ディスクトレイ１には、大サイズディスク用のディスク載置領域Ｚ１と小サイズディスク用のディスク載置領域Ｚ２が同心位置に凹入状に形成されていると共に、それらのディスク載置領域Ｚ１，Ｚ２の後方部位には上向き係止突起１２が樹脂で一体成形されている。この構成は、図６又は図７を参照して説明したディスク装置の構成と同様である。
【００２２】
この実施形態では、図３又は図４のように、横桁部４に備わっている下向き突部４１に、後下がりに傾斜したディスク押下げ案内面４２が付設されている。このディスク押下げ案内面４２は、ディスクトレイ１のディスク載置領域Ｚ１（又はディスク載置領域Ｚ２）から位置ずれして浮き上がったディスクＤの外周端部を摺動させて下向き突部４１の下端４１ａから突出させることによって、図４のようにそのディスクＤの外周端部をディスクトレイ１側の上向き係止突起１２に対峙させる作用を発揮する。図例では、下向き突部４１がディスク押下げ案内面４２の後端位置４２ａよりも下方に突出していて、その突出部分の突出幅寸法ａがディスクＤの外周端部の厚さ寸法ｔよりも短く、かつ、その突出部分と上向き係止突起１２との垂直間隔寸法ｂが、その突出部分が係止したディスクＤの外周端部の突出部分からの出幅寸法ｃよりも短くなっている。
【００２３】
以上のように構成されたディスク装置によると、クローズ位置のディスクトレイ１のディスク載置領域Ｚ１（又はディスク載置領域Ｚ２）からディスクＤが位置ずれして浮き上がっても、そのディスクＤの外周端部が図３又は図４のように横桁部４の下向き突部４１に係止されて当該横桁部４の後方へ入り込むという事態が起こらない。また、万一、ディスクＤが下向き突部４１の下側をすり抜けたとしても、ディスクトレイ１側の上向き係止突起１２がそのディスクＤの外周端部を係止するので、この点からもディスクＤが横桁部４の後方へ入り込んでしまうという事態が起こらない。そのため、ディスク装置を分解してそのディスクトレイ１を構体１００から取り外さなければディスクＤを取り出せなくなるというような事態が起こらないことを意味している。
【００２４】
図３又は図４のように、ディスクＤの外周端部が横桁部４の下向き突部４１に係止されている状態は、ディスクＤの外周端部がディスク押下げ案内面４２を後方へ摺動した場合に起こる。そのため、そのディスク押下げ案内面４２の作用によって、下向き突部４１に係止されているディスクＤの外周端部は、その一部が出幅寸法ｃだけ下向き突部４１の下端４１ａの下方に突き出してディスクトレイ１側の上向き係止突起１２に水平方向（ディスクトレイ１の移動方向）で対峙する。したがって、ディスクトレイ１がクローズ位置からオープン位置に移動すると、上向き係止突起１２が図４仮想線で示したようにディスクＤの外周端面に係止してそのディスクＤがディスクトレイ１によって構体１００の外側に排出される。なお、ディスクトレイ１がクローズ位置とオープン位置との間で移動するときには、上向き係止突起１２が下向き突部４１と干渉せずにその下向き突部４１の下方を通過するようになっている。したがって、上向き係止突起１２が下向き突部４１に干渉してディスクトレイ１の移動の円滑性が損なわれるという事態は起こらない。
【００２５】
なお、図１〜図７においては、理解を助けるために同一又は相応する部分には同一符号を付してある。
【図面の簡単な説明】
【００２６】
【図１】ディスク装置を概略的に示した外観図である。
【図２】ディスクトレイの平面図である。
【図３】第１実施形態の要部の一部破断側面図である。
【図４】図３のＩＶ部拡大図である。
【図５】従来例の説明図である。
【図６】試行例の説明図である。
【図７】試行例の問題点を示した説明図である。
【符号の説明】
【００２７】
Ｄ  ディスク
Ｚ１，Ｚ２  ディスク載置領域
１  ディスクトレイ
２  ターンテーブル
３  クランパ
４  横桁部
１２  上向き係止突起
４１  下向き突部
４２  ディスク押下げ案内面
１００  構体
ａ  突出部分の突出幅寸法
ｂ  突出部分と上向き係止突起との垂直間隔寸法
ｃ  ディスクの外周端部の突出部分からの出幅寸法
ｔ  ディスクの外周端部の厚さ寸法
【図１】
2006196103.tif 000003
【図２】
2006196103.tif 000004
【図３】
2006196103.tif 000005
【図４】
2006196103.tif 000006
【図５】
2006196103.tif 000007
【図６】
2006196103.tif 000008
【図７】
2006196103.tif 000009